(57)【特許請求の範囲】
【請求項１】
複数の大屋根受けトラスによって構成される大屋根と、複数の小屋根受けトラスおよび小屋根受け台形トラスによって構成される小屋根とからなる、平面形状がＬ形，Ｔ形等の屋根構造であって、前記大屋根と小屋根との接合部における大屋根軒部の開口間隔Ｌの開口部に、その両端を当該開口部両側の壁に固着することで組立梁を天井面より下った位置に設置し、この組立梁の上面に前記開口部に設置される大屋根受けトラスの一方の端部を載置すると共に固定金具により固定して支持させて、前記大屋根受けトラスを小屋根受け台形トラスに支持させないようにしたことを特徴とする建築物の屋根構造。
【請求項２】
前記小屋根は、前記組立梁とは別に前記開口部両側の壁に固着された小屋根受けトラス又は、キングポストトラスに支持されている請求項１記載の建築物の屋根構造。
【請求項３】
前記開口部の両側に位置する壁に、壁巾に合わせた組立梁用接合金物が固着され、この接合金物に組立梁が接合支持されている請求項１又は２記載の建築物の屋根構造。
【発明の詳細な説明】
【０００１】
【発明の属する技術分野】
本発明は建築物の屋根構造に係り、大屋根と小屋根が接合する、平面形状がＬ形，Ｔ形等の屋根において、前記大屋根と小屋根の接合部の支持構造に特長がある建築物の屋根構造に関するもので、特に、溝形鋼を枠材として用いた鋼製建築物に適した屋根構造に関する。
【０００２】
【従来の技術】
図９（Ａ），（Ｂ），（Ｃ），（Ｄ）に示すように、大屋根（本体屋根）１と小屋根２とが接合されて平面がＬ形（Ｔ形の例は図示せず）をなす屋根が知られている。図（Ａ）は大屋根１が切妻で小屋根２が寄棟の例、図（Ｂ）は大屋根１と小屋根２の両方が寄棟の例、図（Ｃ）は大屋根１と小屋根２の両方が切妻の例、図（Ｄ）は大屋根が寄棟で、小屋根２が切妻の例を示す。
【０００３】
図１０〜図１５は、前述のような大屋根１と小屋根２が平面Ｌ形に接合された屋根における架構構造を示す。大屋根１における両妻方向に複数の大屋根受けトラス３が平行に配設されて大屋根が形成され、その妻方向端部に位置する大屋根受けトラス３に対し、小屋根２の屋根受け台形トラス４が直角配置で設けられる
。
【０００４】
大屋根１が支持される大屋根側第１壁５および、これと直角に大屋根側第２壁６が設けられ、大屋根側第１壁５と平行な大屋根側第３壁７の端部壁７ａと、大屋根側第２壁６の端部壁６ａとの開口間隔Ｌの範囲が開口部８とされており、この大屋根側の第２壁６と、第３壁７の各端部壁７ａ，６ａには壁面が外方に出張るよう平面コ字形の小屋根側コ字形壁１０の両側壁１０ａが接続されている（なお、この接続位置にスタッド柱１５が配置されている）。
【０００５】
前記開口間隔Ｌの部位おいて、大屋根１の屋根受けトラス３は、上弦材３０と下弦材１１を山形に組み立て、ラチス材２８、束材２９等で補強してなり、その下弦材１１の一端は、大屋根側の第１壁５の上端で支持されるが、他方側は開口間隔Ｌのため支持される部材がない。このため、開口間隔Ｌにおける大屋根受けトラス３の他端部１２は、小屋根２の台形トラス４のラチス材９又は束材９ａに接合金物１４を介して支持される。
【０００６】
つまり、小屋根２の台形トラス４の下弦材１３の両端は、小屋根側コ字形壁１０の両側壁１０ａで支持されているので、この大屋根受けトラス３の他端部１２が、前記下弦材１３と、上弦材１６と、斜材１７と、ラチス材９を組立ててなる前記小屋根受け台形トラス４の、例えばラチス材９，束材９ａ等の側面に接合金物１４を介して固着することで、前記開口間隔Ｌにおける大屋根受けトラス３の他端部１２の支持構造としている。
【０００７】
しかし、図１５に示すように、小屋根受け台形トラス４の中心軸線Ｏから外れた位置において、当該小屋根受け台形トラス４の側面に大屋根受けトラス３の他端部１２が接合されているので、屋根荷重が大屋根受けトラス３を介して、この他端部１２に作用する（図１５に垂直下向き矢印で示す）とき小屋根受け台形トラス４に偏心作用し、小屋根受け台形トラス４には図１５に円弧矢印で示す回転力が作用する。
【０００８】
【発明が解決しようとする課題】
従来のＬ形，Ｔ形等の屋根構造にあっては、大屋根と小屋根を、同一の台形トラス（つまり、小屋根受け台形トラス）で支持する構造であるため、前記の小屋根受け台形トラスに過大な荷重が作用し、このため小屋根受け台形トラスの各部材が大になり、部材数、接合箇所数が多くなり、その結果、複雑なディテールおよび組立工数増となっていた。また、大屋根の荷重が小屋根受け台形トラスの下弦材に作用するため、この下弦材に回転力が作用するが、この回転力を押さえることが困難で、屋根架構に歪みが発生する欠点があった。
【０００９】
本発明は、前記の欠点に鑑みて、大屋根と小屋根とが接合する部位において、大屋根軒部が開口となる場合に、大屋根荷重と小屋根荷重の支持構造を設計上、明確に分離する構造とすることにより従来の課題を解決したものである。
【００１０】
【課題を解決するための手段】
前記の課題を解決するため、本発明に係る建築物の屋根構造は、複数の大屋根受けトラスによって構成される大屋根と、複数の小屋根受けトラスおよび小屋根受け台形トラスによって構成される小屋根とからなる、平面形状がＬ形，Ｔ形等の屋根構造であって、前記大屋根と小屋根との接合部における大屋根軒部の開口間隔Ｌの開口部に、その両端を当該開口部両側の壁に固着することで組立梁を天井面より下った位置に設置し、この組立梁の上面に前記開口部に設置される大屋根受けトラスの一方の端部を載置すると共に固定金具により固定して支持させて、前記大屋根受けトラスを小屋根受け台形トラスに支持させないようにしたことを特徴とする。
本発明において、前記小屋根は、前記組立梁とは別に前記開口部両側の壁に固着された小屋根受けトラス又は、キングポストトラスに支持されている構成を特徴とする。
また、本発明は、前記開口部の両側に位置する壁に、壁巾に合わせた組立梁用接合金物が固着され、この接合金物に組立梁が接合支持されている構成を特徴とする。
【００１１】
本発明によると、大屋根と小屋根との接合部における大屋根軒部の開口間隔Ｌの開口部において、大屋根受けトラスの一端は、前記開口部に架設された組立梁に支持されるから、大屋根荷重と小屋根荷重は明確に構造分離され、従来のように小屋根受け台形トラスに屋根荷重が作用せず、小屋根受け台形トラスの構成を複雑化，大型化しなくてすみ、さらに小屋根受け台形トラスの下弦材に回転力が作用しない。
【００１２】
【発明の実施の形態】
本発明の実施の形態を図１〜図８を参照して説明する。なお、従来構造と同一要素には同一符号を付して説明を省略する。
【００１３】
本発明の実施形態では、大屋根１と小屋根２とが接合する接合部における大屋根軒部の開口間隔Ｌの開口部８に所定長さで、溝形鋼を組合わせて、断面が長方形のボックス形状とした組立梁１８が天井面より下った位置に設置される。
【００１４】
組立梁１８の両端部は、開口部８の両側位置の壁６ａ，７ａ（より具体的には一方の壁は大屋根側の第２壁６と小屋根側コ字形壁１０の一方の端部とが交わる部位の壁におけるスタッド柱１５の上端部、他方の壁は大屋根側の第３壁７と小屋根側のコ字形壁１０の他方の端部とが交わる部位の壁におけるスタッド柱１５の上端部）に固着される組立梁用接合金物１９で支持される。
【００１５】
組立梁用接合金物１９は、１枚の平鋼板を接合金物展開形状に切断したうえ、所定部位の折曲げ線を介して折り曲げることにより、図６に示すように背面板２０と両側板２１と、底面板２２とで前方と上方が開放の枠形に構成される。この組立梁用接合金物１９は、その背面板２０を開口部８の両側の壁６ａ，７ａに当てがい背面板２０を貫通し、かつ壁６ａ，７ａの位置において、上下方向に伸長するスタッド柱１５の側面に複数のドリルねじ，ボルト，リベット等の固定金具２３を打設することで組立梁用接合金物１９が壁６ａ，７ａに固定される。そして、ボックス形状からなる組立梁１８の両端部を組立梁用接合金物１９の前方と上方の開放部を介して、その内側に挿入支持させ、組立梁用接合金物１９の両側板２１を貫通して組立梁１８の両側面に固定金具２３を打設することで、組立梁１８の両端部が組立梁用接合金物１９に固着される。
【００１６】
図７には組立梁１８の変形例が示されている。この組立梁１８ａは、薄鋼板製のリップを有する内側溝形鋼２４を２本向い合わせ、ボックス断面枠を形成し、このボックス断面枠を両側から抱持するように一対の中間溝形鋼２５を配置して接合し、さらにこの中間溝形鋼２５の上下部に重ねるように外側溝形鋼２６を配置し接合して構成されており、このようにして薄鋼板製溝形鋼の重合により断面強度が向上した断面多重構造の組立枠１８ａが構成された例が示されている。この組立梁１８ａの両端部は、前述と同じ組立梁用接合金物１９で支持されかつ、大屋根受けトラス３の端部を支持するものである。
【００１７】
図８に示すように、大屋根１と小屋根２が接合する開口部８の天井面より下った位置（つまり、点線で示す壁上端レベル２７）に設置される組立梁１８によって大屋根受けトラス３の下弦材１１の他端部１２が支持され、固定金具２３を用いてこの組立梁１８に固定される。組立梁１８の上面は、前述の点線で示す壁上端レベル２７と同じ高さに設けられ、かつ小屋根受け台形トラス４は、前記組立梁１８とは独立してその側方に設けられ、壁１０ａで支持されている。
【００１８】
本発明の実施形態に係る屋根構造の作用は次のとおりである。
▲１▼  大屋根１の荷重を大屋根受けトラス３を介して組立梁１８が支持し、小屋根２の荷重を小屋根受け台形トラス４で支持することで、構造設計上、大屋根１と小屋根２の明確な支持構造の分離がなされている。
▲２▼  また、▲１▼により、組立梁１８、小屋根受け台形トラス４（又はキングポストトラス）ともシンプルな構造にでき、従来技術のような小屋根受け台形トラス４の回転力を抑える必要がない。
▲３▼  大屋根軒部の接合を組立梁部分においても、従来と全く同じ方法で施工できるため、施工が簡単であり、特別の金物を必要としない。
▲４▼  組立梁用接合金物１９は、（この種の通常の金物のように取付けフランジが両外側に突出するような構造でなく）金物巾が壁巾と同じであり、それ故に、金物がスタッド柱１５の両側から突出せず、壁のあらゆる部分に取付け可能である。なお、図６，図７に示す接合金物１９は、組立梁１８，１８ａに限らず床根太や天井根太を支持する金物として適用できる。
【００１９】
【発明の効果】
以上説明したように、本発明に係る建築物の屋根構造によると、大屋根と小屋根の接合部における大屋根軒部の開口間隔Ｌの開口部において、大屋根受けトラスの一方の端部を前記開口部に架設された組立梁の上面に支持させるから、大屋根の荷重を大屋根受けトラスを介して組立梁で支持させ、小屋根の荷重を小屋根受け台形トラスでそれぞれ支持でき、よって、構造設計上、大屋根と小屋根の明確な支持構造の分離が可能である。これにより小屋根受け台形トラスの構成を複雑化，大型化しなくてすみ、さらに小屋根受け台形トラスの下弦材に回転力が作用しないので、その回転を抑える機構も不要である。さらに、大屋根軒部の接合を組立梁部分においても、従来と全く同じ方法で施工できるため、施工が簡単であり、特別の金物を必要としないという効果がある。
【図面の簡単な説明】
【図１】本発明の実施形態に係る屋根構造を示す側面説明図である。
【図２】図１の平面図である。
【図３】図１の屋根構造における大屋根と小屋根の接合部における天井高さ位置で平面的に示す説明図である。
【図４】図３の正面説明図である。
【図５】（Ａ）は大屋根受けトラスの側面図、（Ｂ）は小屋根受け台形トラスの側面図である。
【図６】第１例に係る組立梁とその接合金物を示す斜視図である。
【図７】第２例に係る組立梁とその接合金物を示す斜視図である。
【図８】組立梁と大屋根受けトラスの支持構造を示す側面図である。
【図９】（Ａ），（Ｂ），（Ｃ），（Ｄ）は、大屋根と小屋根が接合された平面Ｌ形状の４種の屋根構造を示す斜視図である。
【図１０】従来構造に係る屋根構造を示す側面説明図である。
【図１１】図１０の平面図である。
【図１２】図１０の屋根構造における大屋根と小屋根の接合部における天井部高さ位置で平面的に示す説明図である。
【図１３】図１２の正面説明図である。
【図１４】（Ａ）は大屋根受けトラスの側面図、（Ｂ）は小屋根受け台形トラスの側面図である。
【図１５】小屋根受け台形トラスと大屋根受けトラスの支持構造を示す側面図である。
【符号の説明】
１  大屋根
２  小屋根
３  大屋根受けトラス
４  小屋根受け台形トラス
５  大屋根側第１壁
６  大屋根側第２壁
７  大屋根側第３壁
８  開口部
１０  小屋根側コ字形壁
１１  下弦材
１２  他端部
１３  下弦材
１４  接合金物
１５  スタッド柱
１６  上弦材
１７  斜材
１８  組立梁
１９  組立梁用接合金物
２０  背面板
２１  両側板
２２  底面板
２３  固定金具
２４  内側溝形鋼
２５  中間溝形鋼
２６  外側溝形鋼
２７  壁上端レベル
【図１】
0003711201.tif 000002
【図２】
0003711201.tif 000003
【図３】
0003711201.tif 000004
【図４】
0003711201.tif 000005
【図５】
0003711201.tif 000006
【図６】
0003711201.tif 000007
【図７】
0003711201.tif 000008
【図８】
0003711201.tif 000009
【図９】
0003711201.tif 000010
【図１０】
0003711201.tif 000011
【図１１】
0003711201.tif 000012
【図１２】
0003711201.tif 000013
【図１３】
0003711201.tif 000014
【図１４】
0003711201.tif 000015
【図１５】
0003711201.tif 000016